(57)【要約】    【課題】  光透過性表示層60の発色が良く、しかも、光透過性表示層60の裏側にある部材が光透過性表示層60の表側からは透けて見えにくい遊技機を提供する。    【解決手段】  遊技機は、前面に透明な透明パネル50を備え、透明パネル50の裏側には、光透過性を有する表示の層である光透過性表示層60を備え、光透過性表示層60の後方には、前方へ向けて光を発する発光体80を備える。そして、光透過性表示層60と発光体80との間に、ハーフミラー層70を備える。    【選択図】  図４
2005211097.tif 000002
【特許請求の範囲】
【請求項１】
前面に透明な透明パネルを備え、
透明パネルの裏側には、光透過性を有する表示の層である光透過性表示層を備え、
光透過性表示層の後方には、前方へ向けて光を発する発光体を備えた遊技機であって、
光透過性表示層と発光体との間に、ハーフミラー層を備えたことを特徴とする遊技機。
【請求項２】
透明パネルの裏側に、光透過性を有する表示が付された光透過性シートを備えることにより、透明パネルの裏側に、光透過性表示層を備えたことを特徴とする請求項１記載の遊技機。
【請求項３】
透明パネルの裏面に、光透過性を有する表示を印刷することにより、透明パネルの裏側に、光透過性表示層を備えたことを特徴とする請求項１記載の遊技機。
【請求項４】
光透過性表示層の裏面に、シート状のハーフミラーを貼り付けることにより、光透過性表示層と発光体との間に、ハーフミラー層を備えたことを特徴とする請求項１、２又は３記載の遊技機。
【請求項５】
光透過性表示層の裏面に、光を透過する金属薄膜層を形成し、この金属薄膜層をハーフミラー層とすることにより、光透過性表示層と発光体との間に、ハーフミラー層を備えたことを特徴とする請求項１、２又は３記載の遊技機。
【発明の詳細な説明】
【技術分野】
【０００１】
本発明は、スロットマシンなどの遊技機に関し、さらに詳しくは、光透過性表示層の発色を良くするとともに、光透過性表示層の裏側にある部材を光透過性表示層の表側からは透けて見えにくくして、見栄えを良くした遊技機に関するものである。
【背景技術】
【０００２】
図６ないし図９は、従来の遊技機としてのスロットマシン10の一例を示すものである。
図６は、従来の遊技機としてのスロットマシン10の外観正面図、図７は、従来の遊技機としてのスロットマシン10の分解斜視図、図８は、従来の遊技機としてのスロットマシン10における窓枠部材40の外観正面図、図９は、従来の遊技機としてのスロットマシン10における前扉30の要部側断面図である。
スロットマシン10は、スタートスイッチ95を操作すると、すべての回転リール90の回転が開始し、ストップスイッチ96を操作すると、当該ストップスイッチ96に対応する回転リール90の回転が停止し、すべての回転リール90の回転が停止したときに、所定の図柄が有効な入賞ライン上に揃うと、所定の役の入賞となり、所定の利益が付与される遊技機である。
【０００３】
図６ないし図９に示すスロットマシン10は、前面に開口部を有する箱型の筐体20を備えている。また、筐体20の前面には、開口部を開閉可能に塞ぐ前扉30が備えられている。また、筐体20の内部には、スロットマシン10を制御するための制御装置や、３個の回転リール90を横並びに設けたリール装置や、メダル投入口91から投入されたメダルを誘導しながらメダルの真贋を判定するためのメダル選別装置や、メダル選別装置を通過したメダルを受け止めて貯留しておくとともに貯留したメダルを入賞時などにメダル払出口92から払い出すためのホッパー装置や、これらの装置に電力を供給するための電源装置などが備えられている。
【０００４】
また、図６及び図７に示すように、前扉30の上下の中間位置には、前方へ向けて突出する操作部34が設けられている。また、操作部34の上面には、メダルを投入するためのメダル投入口91や、クレジットメダルの枚数を１枚減じてメダルの投入に代えるための１枚ベットスイッチ93や、クレジットメダルの枚数を３枚減じてメダルの投入に代えるためのＭＡＸベットスイッチ94などが設けられ、また、操作部34の前面には、回転リール90の回転を開始させるためのスタートスイッチ95や、回転リール90の回転を停止させるためのストップスイッチ96などが設けられている。
また、図６及び図７に示すように、前扉30の上部には、演出用ランプ97が設けられ、また、前扉30の下部には、演出音などを発するスピーカ98や、メダルを払い出すためのメダル払出口92などが設けられ、また、メダル払出口92の下方には、メダル払出口92から払い出されたメダルを受け止めて貯留するための受け皿99が設けられている。
【０００５】
また、図６及び図７に示すように、前扉30は、ヒンジを介して筐体に固定されるドアフレーム31と、ドアフレーム31の前面上部を覆う上パネル32と、ドアフレーム31の前面下部を覆う下パネル33と、ドアフレーム31の上下の中間位置に固定される四角枠型の窓枠部材40と、窓枠部材40の前面を覆うようにして窓枠部材40に固定される透明な透明パネル50とを備えている。
また、図６及び図７に示すように、窓枠部材40のほぼ中央には、図柄表示窓41とされる開口部が設けられている。そして、前扉30が閉じられた際には、回転リール90の前方に図柄表示窓41が位置するようになっており、これにより、図柄表示窓41を通して前方から回転リール90が見えるようになっている。
【０００６】
また、図９に示すように、透明パネル50の裏側には、光透過性を有する表示の層である光透過性表示層60が備えられている。具体的には、図７に示すように、窓枠部材40と透明パネル50との間に、コの字形の光透過性シート65が挟まれている。また、光透過性シート65には、光透過性を有する表示が付されている。これにより、透明パネル50の裏側に、光透過性表示層60が備えられている。また、「光透過性を有する」とは、光を通すことを意味する。また、「表示」としては、例えば、絵柄、キャラクター、文字、図形、記号、模様、あるいは色彩などがある。
また、図９に示すように、光透過性表示層60の後方には、前方へ向けて光を発する発光体80が備えられている。具体的には、図８に示すように、窓枠部材40は、図柄表示窓41の下側に下横枠部42を有し、同上側には上横枠部43を有し、同右側には右縦枠部44を有し、同左側には左縦枠部45を有している。また、右縦枠部44及び左縦枠部45には、それぞれ、６つの発光体設置穴46が縦並びに設けられ、また、下横枠部42には、４つの発光体設置穴46が横並びに設けられている。また、各発光体設置穴46の内側には、それぞれ、発光体80としてのＬＥＤランプ81や７セグメントＬＥＤ82が設けられている。また、ＬＥＤランプ81や７セグメントＬＥＤ82は、いずれも、前方へ向けて光を発するようにしてある。そして、ＬＥＤランプ81は、光透過性表示層60を裏側から照らすようにしており、また、７セグメントＬＥＤ82は、その表示する数字が光透過性表示層60を通して前方から見えるようにしている。
【０００７】
また、従来の他の遊技機として、下記の特許文献１に開示されているスロットマシンが知られている。
このスロットマシンは、その前面ドアの所定部分を光透過性の装飾部としてその内側に発光手段を配置し、該装飾部は、通常は外部からの光を反射するが、前記発光手段から発生した光が透過するように金属被覆が施されているものである。
そして、前面ドアの所定部分は、その表面に施された金属被覆により、通常は光を反射して銀色又は金色に見えるが、特別の遊技状態が発生したときなどに、発光手段を作動させ、その光が光透過性の装飾部とその金属被覆を透過すると、それまで銀色又は金色に見えていた装飾部が、表面素材の地の色、あるいは発光手段からの光の色で輝くようにしたものである。
【特許文献１】特許第２９７７４２９号公報
【発明の開示】
【発明が解決しようとする課題】
【０００８】
ところで、従来の遊技機では、発光体が発光していないときに、光透過性表示層の発色が悪くなってしまったり、光透過性表示層の裏側にある部材が光透過性表示層の表側から透けて見えてしまったりして、見栄えが悪くなってしまうという問題があった。
また、本発明は、光透過性表示層の発色を良くするとともに、光透過性表示層の裏側にある部材を光透過性表示層の表側からは透けて見えにくくして、見栄えを良くしようとするものであって、上記の特許文献１に開示されている発明とは課題が異なる。
（請求項１）
そこで、請求項１記載の発明は、光透過性表示層と発光体との間にハーフミラー層を備えることにより、発光体が発光しているときには、発光体から発せられた光がハーフミラー層を透過して光透過性表示層を従来通り裏側から照らすようにしつつ、発光体が消灯しているときには、光透過性表示層の表側から入射した外部の光がハーフミラー層で反射して光透過性表示層を裏側から照らすようにし、これにより、特に発光体が消灯しているときの光透過性表示層の発色を従来よりも良くし、更には、発光体が消灯しているときに、光透過性表示層の裏側にある部材がハーフミラー層の特性により光透過性表示層の表側からは透けて見えにくくなるようにして、見栄えを良くした遊技機を提供することを目的とする。
【０００９】
（請求項２）
また、請求項２記載の発明は、請求項１記載の発明の目的に加え、透明パネルの裏側に、光透過性を有する表示が付された光透過性シートを備えて、光透過性表示層を形成することにより、光透過性シートを差し替えるだけでデザイン変更できるようにして、異なる機種でも共通の透明パネルを使用できるようにするとともに、透明パネルのリサイクルを容易にした遊技機を提供することを目的とする。
（請求項３）
また、請求項３記載の発明は、請求項１記載の発明の目的に加え、透明パネルの裏面に、光透過性を有する表示を印刷して、光透過性表示層を形成することにより、部品点数を増やさないようにするとともに、組み立て時における光透過性表示層の位置決め作業を不要にして、組み立て作業を容易にした遊技機を提供することを目的とする。
【００１０】
（請求項４）
また、請求項４記載の発明は、請求項１ないし３記載の発明の目的に加え、光透過性表示層の裏面に、シート状のハーフミラーを貼り付けて、ハーフミラー層を形成することにより、部品点数を増やさないようにするとともに、組み立て時におけるハーフミラー層の位置決め作業を不要にして、組み立て作業を容易にした遊技機を提供することを目的とする。
（請求項５）
更に、請求項５記載の発明は、請求項１ないし３記載の発明の目的に加え、光透過性表示層の裏面に光を透過する金属薄膜層を形成し、この金属薄膜層をハーフミラー層とすることにより、部品点数を増やさないようにするとともに、組み立て時におけるハーフミラー層の位置決め作業を不要にして、組み立て作業を容易にした遊技機を提供することを目的とする。
【課題を解決するための手段】
【００１１】
（請求項１）
請求項１記載の発明は、遊技機に係るものであって、前面に透明な透明パネル（50）を備え、透明パネル（50）の裏側には、光透過性を有する表示の層である光透過性表示層（60）を備え、光透過性表示層（60）の後方には、前方へ向けて光を発する発光体（80）を備えた遊技機であって、光透過性表示層（60）と発光体（80）との間に、ハーフミラー層（70）を備えたことを特徴とする。
ここで、「遊技機」としては、例えば、スロットマシン（10）やパチンコ機などがある。
【００１２】
また、「透明パネル（50）」は、遊技機の前面に備えられるものである。
また、「光透過性表示層（60）」は、光透過性を有する表示の層である。また、「光透過性を有する」とは、光を通すことを意味する。また、「表示」としては、例えば、絵柄、キャラクター、文字、図形、記号、模様、あるいは色彩などがある。また、「光透過性表示層（60）」は、例えば、透明パネル（50）の裏側に、光透過性を有する表示が付された光透過性シート（65）を備えることによって形成することができるし、また、透明パネル（50）の裏面に、光透過性を有する表示を印刷することによって形成することもできる。
【００１３】
また、「発光体（80）」は、前方へ向けて光を発するようにして、光透過性表示層（60）の後方に備えられる。また、発光体（80）としては、例えば、ＬＥＤランプ（81）や電球などを備えることができ、また、７セグメントＬＥＤ（82）やドットマトリクスなどを備えることもできる。また、発光体（80）としては、例えば、白色に発光するものを用いてもよく、また、赤色に発光するものを用いてもよい。
また、「ハーフミラー層（70）」は、入射光の一部を反射し、一部を透過する層である。本発明では、光透過性表示層（60）と発光体（80）との間に、ハーフミラー層（70）が備えられる。また、「ハーフミラー層（70）」は、例えば、光透過性表示層（60）の裏面に、シート状のハーフミラー（71）を貼り付けることによって形成することができるし、また、光透過性表示層（60）の裏側に、パネル状のハーフミラー（71）を置くことによって形成することもできる。また、例えば、光透過性表示層（60）の裏面に、光を透過する金属薄膜層（72）を形成し、この金属薄膜層（72）をハーフミラー層（70）とすることもできる。また、ハーフミラー層（70）は、例えば、光反射率：３０％、光透過率：７０％とすることができ、また、光反射率：５０％、光透過率：５０％とすることもでき、また、光反射率：５０％、光透過率：３０％、光吸収率：２０％とすることもできる。
【００１４】
また、透明パネル（50）の裏側に、光透過性表示層（60）が備えられ、また、光透過性表示層（60）の裏側に、ハーフミラー層（70）が備えられ、また、ハーフミラー層（70）の後方に、発光体（80）が備えられていればよく、したがって、例えば、ハーフミラー層（70）と発光体（80）との間に、透明なパネルなどが挟まれていてもよい。
（請求項２）
請求項２記載の発明は、請求項１記載の遊技機を限定したものであって、透明パネル（50）の裏側に、光透過性を有する表示が付された光透過性シート（65）を備えることにより、透明パネル（50）の裏側に、光透過性表示層（60）を備えたことを特徴とする。
【００１５】
つまり、本発明は、光透過性シート（65）に、光透過性を有する表示を付し、これを透明パネル（50）の裏側に備えたものである。
また、「光透過性シート（65）」は、光透過性を有するシートである。
（請求項３）
請求項３記載の発明は、請求項１記載の遊技機を限定したものであって、透明パネル（50）の裏面に、光透過性を有する表示を印刷することにより、透明パネル（50）の裏側に、光透過性表示層（60）を備えたことを特徴とする。
つまり、本発明は、透明パネル（50）の裏面に直に、光透過性を有する表示を印刷したものである。
【００１６】
（請求項４）
請求項４記載の発明は、請求項１ないし３記載の遊技機を限定したものであって、光透過性表示層（60）の裏面に、シート状のハーフミラー（71）を貼り付けることにより、光透過性表示層（60）と発光体（80）との間に、ハーフミラー層（70）を備えたことを特徴とする。
つまり、本発明は、光透過性表示層（60）の裏面に、シート状のハーフミラー（71）を貼り付けたものである。
より具体的には、例えば、透明パネル（50）の裏側に光透過性シート（65）が備えられる場合にあっては、光透過性シート（65）の裏面に、シート状のハーフミラー（71）を貼り付けて、ハーフミラー層（70）を形成することができる。
【００１７】
また、例えば、透明パネル（50）の裏面に印刷により光透過性表示層（60）が直に形成される場合にあっては、まず、透明パネル（50）の裏面に光透過性を有する表示を印刷して光透過性表示層（60）を形成し、その後に、この光透過性表示層（60）の裏面に、シート状のハーフミラー（71）を貼り付けて、ハーフミラー層（70）を形成することができる。つまり、透明パネル（50）の裏面に、光透過性表示層（60）とハーフミラー層（70）とを積層させることができる。
（請求項５）
請求項５記載の発明は、請求項１ないし３記載の遊技機を限定したものであって、光透過性表示層（60）の裏面に、光を透過する金属薄膜層（72）を形成し、この金属薄膜層（72）をハーフミラー層（70）とすることにより、光透過性表示層（60）と発光体（80）との間に、ハーフミラー層（70）を備えたことを特徴とする。
【００１８】
つまり、本発明は、光透過性表示層（60）の裏面に、光を透過する金属薄膜層（72）を形成し、この金属薄膜層（72）をハーフミラー層（70）としたものである。
より具体的には、例えば、透明パネル（50）の裏側に光透過性シート（65）が備えられる場合にあっては、光透過性シート（65）の裏面に、光を透過する金属薄膜層（72）を形成して、ハーフミラー層（70）を形成することができる。
また、例えば、透明パネル（50）の裏面に印刷により光透過性表示層（60）が直に形成される場合にあっては、まず、透明パネル（50）の裏面に光透過性を有する表示を印刷して光透過性表示層（60）を形成し、その後に、この光透過性表示層（60）の裏面に、光を透過する金属薄膜層（72）を形成して、ハーフミラー層（70）を形成することができる。つまり、透明パネル（50）の裏面に、光透過性表示層（60）とハーフミラー層（70）とを積層させることができる。
【００１９】
また、「光を透過する金属薄膜層（72）」は、例えば、光透過性表示層（60）の裏面にクロムなどの金属を蒸着させることによって形成することができる。つまり、「光を透過する金属薄膜層（72）」は、光透過性表示層（60）の裏面をクロムなどの金属でコーティングすることによって形成することができる。
【発明の効果】
【００２０】
（請求項１）
請求項１記載の発明によれば、光透過性表示層と発光体との間にハーフミラー層を備えたことから、発光体が発光しているときには、発光体から発せられた光がハーフミラー層を透過して光透過性表示層を従来通り裏側から照らすようにしつつ、発光体が消灯しているときには、光透過性表示層の表側から入射した外部の光がハーフミラー層で反射して光透過性表示層を裏側から照らすようにすることができる。このため、特に発光体が消灯しているときの光透過性表示層の発色を従来よりも良くすることができる。更に、発光体が消灯しているときに、光透過性表示層の裏側にある部材が、ハーフミラー層の特性により、光透過性表示層の表側からは透けて見えにくくなる。このため、見栄えの良い遊技機を提供できるのである。
【００２１】
（請求項２）
また、請求項２記載の発明によれば、透明パネルの裏側に、光透過性を有する表示が付された光透過性シートを備えて、光透過性表示層を形成したことから、光透過性シートを差し替えるだけでデザイン変更できる。したがって、異なる機種でも共通の透明パネルを使用でき、また、透明パネルのリサイクルも容易である。
（請求項３）
また、請求項３記載の発明によれば、透明パネルの裏面に、光透過性を有する表示を印刷して、光透過性表示層を形成したことから、部品点数を増やさずに済み、また、組み立て時における光透過性表示層の位置決め作業も不要になるので、遊技機の組み立て作業を容易にすることができるのである。
【００２２】
（請求項４）
また、請求項４記載の発明によれば、光透過性表示層の裏面に、シート状のハーフミラーを貼り付けて、ハーフミラー層を形成したことから、部品点数を増やさずに済み、また、組み立て時におけるハーフミラー層の位置決め作業も不要になるので、遊技機の組み立て作業を容易にすることができるのである。
（請求項５）
更に、請求項５記載の発明によれば、光透過性表示層の裏面に、光を透過する金属薄膜層を形成し、この金属薄膜層をハーフミラー層としたことから、部品点数を増やさずに済み、また、組み立て時におけるハーフミラー層の位置決め作業も不要になるので、遊技機の組み立て作業を容易にすることができるのである。
【発明を実施するための最良の形態】
【００２３】
図１ないし図４は、本発明の実施の形態を示すものである。
図１は、本発明の実施の形態に係る遊技機としてのスロットマシン10の外観正面図、図２は、本発明の実施の形態に係る遊技機としてのスロットマシン10の外観側面図、図３は、本発明の実施の形態に係る遊技機としてのスロットマシン10における前扉30の分解斜視図、図４は、本発明の実施の形態に係る遊技機としてのスロットマシン10における前扉30の要部側断面図である。
図１及び図２に示すように、本実施の形態に係るスロットマシン10は、前面に開口部を有する箱型の筐体20を備えている。また、筐体20の前面には、開口部を開閉可能に塞ぐ前扉30が備えられている。また、筐体20の内部には、スロットマシン10を制御するための制御装置や、３個の回転リール90を横並びに設けたリール装置や、メダル投入口91から投入されたメダルを誘導しながらメダルの真贋を判定するためのメダル選別装置や、メダル選別装置を通過したメダルを受け止めて貯留しておくとともに貯留したメダルを入賞時などにメダル払出口92から払い出すためのホッパー装置や、これらの装置に電力を供給するための電源装置などが備えられている。
【００２４】
また、図１及び図２に示すように、前扉30の上下の中間位置には、前方へ向けて突出する操作部34が設けられている。また、操作部34の上面には、メダルを投入するためのメダル投入口91や、クレジットメダルの枚数を１枚減じてメダルの投入に代えるための１枚ベットスイッチ93や、クレジットメダルの枚数を３枚減じてメダルの投入に代えるためのＭＡＸベットスイッチ94などが設けられ、また、操作部34の前面には、回転リール90の回転を開始させるためのスタートスイッチ95や、回転リール90の回転を停止させるためのストップスイッチ96などが設けられている。
また、図１及び図２に示すように、前扉30の上部には、演出用ランプ97が設けられ、また、演出用ランプ97の下方には、液晶ディスプレイ35が設けられ、また、前扉30の下部には、演出音などを発するスピーカ98や、メダルを払い出すためのメダル払出口92などが設けられ、また、メダル払出口92の下方には、メダル払出口92から払い出されたメダルを受け止めて貯留するための受け皿99が設けられている。
【００２５】
また、図１及び図３に示すように、前扉30は、ヒンジを介して筐体20に固定されるドアフレーム31と、ドアフレーム31の前面上部を覆う上パネル32と、ドアフレーム31の前面下部を覆う下パネル33と、ドアフレーム31の上下の中間位置に固定される四角枠型の窓枠部材40と、窓枠部材40の前面を覆うようにしてドアフレーム31に固定される透明な透明パネル50とを備えている。
また、図１及び図３に示すように、窓枠部材40のほぼ中央には、図柄表示窓41とされる開口部が設けられている。そして、前扉30が閉じられた際には、回転リール90の前方に図柄表示窓41が位置するようになっており、これにより、図柄表示窓41を通して前方から回転リール90が見えるようになっている。
【００２６】
また、図３に示すように、窓枠部材40は、図柄表示窓41の下側に下横枠部42を有し、同上側には上横枠部43を有し、同右側には右縦枠部44を有し、同左側には左縦枠部45を有している。また、右縦枠部44及び左縦枠部45には、それぞれ、５つの発光体設置穴46が縦並びに設けられ、また、下横枠部42には、６つの発光体設置穴46が横並びに設けられている。また、各発光体設置穴46の内側には、それぞれ、発光体80としてのＬＥＤランプ81や７セグメントＬＥＤ82が設けられている。より具体的には、右縦枠部44の５つの各発光体設置穴46の内側には、それぞれ、ＬＥＤランプ81が設けられている。また、左縦枠部45の５つの発光体設置穴46のうち、上３つの各発光体設置穴46の内側には、それぞれ、ＬＥＤランプ81が設けられ、また、下２つの各発光体設置穴46の内側には、それぞれ、７セグメントＬＥＤ82が設けられている。また、ＬＥＤランプ81や７セグメントＬＥＤ82は、いずれも、前方へ向けて光を発するようにしてある。また、窓枠部材40は、白色の合成樹脂製であり、射出成型により一体的に形成されている。そして、各発光体設置穴46の内周面は、リフレクターとして機能するようになっている。
【００２７】
また、図３に示すように、窓枠部材40と透明パネル50との間には、前から順に、光透過性を有する光透過性シート65と、透明な裏パネル55とが挟まれている。また、「光透過性を有する」とは、光を通すことを意味する。また、光透過性シート65の中央部分は、横長長方形の透明な透視部66とされ、また、光透過性シート65の透視部66以外の部分は、所定の表示が付された表示部67とされている。そして、窓枠部材40と透明パネル50との間に光透過性シート65が挟まれた際には、図柄表示窓41の前方に、透視部66が位置するようになっている。また、表示部67には、所定の表示として、絵柄、キャラクター、文字、図形、記号、模様、あるいは色彩などが付されている。また、表示部67の表示は、印刷により形成されている。また、表示部67のうち、下横枠部42、右縦枠部44及び左縦枠部45の前方に位置する部分は、光透過性を有する表示が付された光透過性表示部68とされ、また、表示部67のうち、光透過性表示部68以外の部分は、光透過性を有しない表示が付された非光透過性表示部69とされている。つまり、本実施の形態では、透明パネル50の裏側に、光透過性を有する表示が付された光透過性シート65を備えることにより、光透過性表示層60が形成されている。
【００２８】
また、光透過性シート65の裏面における、光透過性表示部68の裏側に相当する部分には、シート状のハーフミラー71が貼り付けられている。つまり、本実施の形態では、光透過性表示層60の裏面に、シート状のハーフミラー71を貼り付けることにより、ハーフミラー層70が形成されている。また、シート状のハーフミラー71としては、例えば、光反射率が４１〜５１％、光透過率が２０〜３３％で、反射・透過以外の光は主として吸収されるものを用いることができる。
このように、本実施の形態では、図４の（Ａ）及び（Ｂ）に示すように、透明パネル50の裏側に、光透過性を有する表示が付された光透過性シート65が備えられ、また、光透過性シート65の裏側には、シート状のハーフミラー71が貼り付けられ、また、ハーフミラー71の裏側には、裏パネル55が備えられ、また、裏パネル55の裏側には、窓枠部材40が備えられ、更に、窓枠部材40には、前方へ向けて光を発する発光体80が備えられている。つまり、透明パネル50の裏側に、光透過性表示層60が備えられ、また、光透過性表示層60の後方には、前方へ向けて光を発する発光体80が備えられ、更に、光透過性表示層60と発光体80との間には、ハーフミラー層70が備えられている。
【００２９】
また、本実施の形態では、メダルの投入枚数などに基づいて、制御装置がＬＥＤランプ81を発光させたり消灯させたりするようになっており、また、クレジットメダルの枚数や入賞時のメダルの払出枚数などに基づいて、制御装置が７セグメントＬＥＤ82で所定の数字を表示するようになっている。
そして、本実施の形態では、ＬＥＤランプ81が発光しているときには、図４の（Ａ）に示すように、ＬＥＤランプ81から発せられた光が、ハーフミラー71を透過して、光透過性シート65の光透過性表示部68を従来通り裏側から照らすようにしつつ、ＬＥＤランプ81が消灯しているときには、図４の（Ｂ）に示すように、光透過性シート65の光透過性表示部68の表側から入射した外部の光が、ハーフミラー71で反射して、光透過性シート65の光透過性表示部68を裏側から照らすようにしている。つまり、ＬＥＤランプ81が発光しているときには、ＬＥＤランプ81から発せられた光が、ハーフミラー層70を透過して、光透過性表示層60を従来通り裏側から照らすようにしつつ、ＬＥＤランプ81が消灯しているときには、光透過性表示層60の表側から入射した外部の光が、ハーフミラー層70で反射して、光透過性表示層60を裏側から照らすようにしている。このようにして、本実施の形態では、特にＬＥＤランプ81が消灯しているときの光透過性表示層60の発色を、従来よりも良くしているのである。
【００３０】
また、本実施の形態では、ＬＥＤランプ81が消灯しているときに、光透過性シート60の光透過性表示部63の裏側にある部材（具体的には窓枠部材40や消灯中のＬＥＤランプ81など）が、ハーフミラー71の特性により、光透過性シート60の表側からは透けて見えにくくなるようにしている。つまり、ＬＥＤランプ81が消灯しているときに、光透過性表示層60の裏側にある部材が、ハーフミラー層70の特性により、光透過性表示層60の表側からは透けて見えにくくなるようにしている。このようにして、本実施の形態では、見栄えを良くしているのである。
また、本実施の形態では、７セグメントＬＥＤ82には、赤色に発光するものが用いられている。また、光透過性シート65における７セグメントＬＥＤ82の前方に位置する部分には、赤色透明の印刷が施されている。また、赤色透明の印刷が施された部分は、光透過性表示部63内に設けられている。このため、光透過性シート65における赤色透明の印刷が施された部分の裏側にも、ハーフミラー71が貼り付けられている。そして、本実施の形態では、７セグメントＬＥＤ82が発光しているときには、その表示する数字がハーフミラー71及び光透過性シート65の赤色透明の印刷が施された部分を通して前方から見えるようにしつつ、７セグメントＬＥＤ82が消灯しているときには、窓枠部材40や消灯中の７セグメントＬＥＤ82が、ハーフミラー71の特性により、光透過性シート65の表側からは透けて見えにくくなるようにしている。つまり、７セグメントＬＥＤ82が発光しているときには、その表示する数字がハーフミラー層70及び光透過性表示層60を通して前方から見えるようにしつつ、７セグメントＬＥＤ82が消灯しているときには、窓枠部材40や消灯中の７セグメントＬＥＤ82が、ハーフミラー層70の特性により、光透過性表示層60の表側からは透けて見えにくくなるようにしている。このようにして、本実施の形態では、見栄えを良くしているのである。
【００３１】
また、本実施の形態では、透明パネル50の裏側に、光透過性を有する表示が付された光透過性シート65を備えている。このため、光透過性シート65を差し替えるだけでデザイン変更できる。したがって、異なる機種でも共通の透明パネル50を使用でき、また、透明パネル50のリサイクルも容易である。
また、本実施の形態では、光透過性シート65の裏面に、シート状のハーフミラー71を貼り付けて、ハーフミラー層70を形成している。このため、部品点数を増やさずに済み、また、組み立て時におけるハーフミラー層70の位置決め作業が不要である。このため、スロットマシン10の組み立て作業が容易なのである。
【００３２】
なお、上記実施の形態では、光透過性シート65の裏面に、シート状のハーフミラー71を貼り付けて、ハーフミラー層70を形成したが、例えば、図５の（Ａ）及び（Ｂ）に示すように、光透過性シート65の裏面に、光を透過させる金属薄膜層72を形成し、この金属薄膜層72をハーフミラー層70とすることができる。また、「光を透過させる金属薄膜層72」は、例えば、光透過性シート65の裏面にクロムなどの金属を蒸着させることによって形成できる。つまり、「光を透過させる金属薄膜層72」は、光透過性シート65の裏面をクロムなどの金属でコーティングすることによって形成できる。このようにしても、上記実施の形態と同様に作用し、同様の効果が得られる。つまり、発光体80が発光しているときには、発光体80から発せられた光がハーフミラー層70を透過して光透過性表示層60を従来通り裏側から照らすようにしつつ、発光体80が消灯しているときには、光透過性表示層60の表側から入射した外部の光がハーフミラー層70で反射して光透過性表示層60を裏側から照らすようにすることができる。これにより、特に発光体80が消灯しているときの光透過性表示層60の発色を従来よりも良くすることができる。更に、発光体80が消灯しているときに、光透過性表示層60の裏側にある部材がハーフミラー層70の特性により光透過性表示層60の表側からは透けて見えにくくなるようにすることができ、見栄えを良くすることができる。また、光透過性表示層60の裏面に光を透過させる金属薄膜層72を形成し、この金属薄膜層72をハーフミラー層70とすると、部品点数を増やさずに済み、また、組み立て時におけるハーフミラー層70の位置決め作業が不要になる。これにより、スロットマシン10の組み立て作業を容易にすることができるのである。
【００３３】
また、透明パネル50の裏面に、光透過性を有する表示を印刷して、光透過性表示層60を形成することもできる。そうすると、部品点数を増やさずに済み、また、組み立て時における光透過性表示層60の位置決め作業が不要になる。したがって、スロットマシン10の組み立て作業を容易にすることができるのである。
また、例えば、透明パネル50の裏面に印刷により光透過性表示層60を直に形成し、その後に、この光透過性表示層60の裏面に、シート状のハーフミラー71を貼り付けて、ハーフミラー層70を形成することができる。つまり、透明パネル50の裏面に、光透過性表示層60とハーフミラー層70とを積層させることができる。このようにしても、上記実施の形態と同様に作用し、同様の効果が得られる。
【００３４】
また、例えば、透明パネル50の裏面に印刷により光透過性表示層60を直に形成し、その後に、この光透過性表示層60の裏面に、光を透過する金属薄膜層72を形成して、ハーフミラー層70を形成することもできる。この場合も、透明パネル50の裏面に、光透過性表示層60とハーフミラー層70とが積層されることとなる。このようにしても、上記実施の形態と同様に作用し、同様の効果が得られる。
また、光透過性シート65の裏面に、シート状のハーフミラー71を貼り付けるのではなく、例えば、裏パネル55の前面に、シート状のハーフミラー71を貼り付けてもよい。このようにしても、上記実施の形態と同様に作用し、同様の効果が得られる。
【００３５】
また、光透過性シート65の裏面に、シート状のハーフミラー71を貼り付けるのではなく、例えば、光透過性シート65の裏側に、パネル状のハーフミラー71を設置して、ハーフミラー層70を形成してもよい。このようにしても、部品点数は増えるものの、光透過性表示層60の発色を良くするとともに、光透過性表示層60の裏側にある部材を光透過性表示層60の表側からは透けて見えにくくすることができ、ひいては見栄えを良くすることができるのである。
また、本発明は、スロットマシンに限らず、例えば、パチンコ機などの遊技機に用いることもできる。
【図面の簡単な説明】
【００３６】
【図１】本発明の実施の形態に係る遊技機としてのスロットマシンの外観正面図。
【図２】本発明の実施の形態に係る遊技機としてのスロットマシンの外観側面図。
【図３】本発明の実施の形態に係る遊技機としてのスロットマシンにおける前扉の分解斜視図。
【図４】本発明の実施の形態に係る遊技機としてのスロットマシンにおける前扉の要部側断面図。
【図５】本発明の他の実施の形態に係る遊技機としてのスロットマシンにおける前扉の要部側断面図。
【図６】従来の遊技機としてのスロットマシンの外観正面図。
【図７】従来の遊技機としてのスロットマシンの分解斜視図。
【図８】従来の遊技機としてのスロットマシンにおける窓枠部材の外観正面図。
【図９】従来の遊技機としてのスロットマシンにおける前扉の要部側断面図。
【符号の説明】
【００３７】
10  スロットマシン                 20  筐体
30  前扉                           31  ドアフレーム
32  上パネル                       33  下パネル
34  操作部                         35  液晶ディスプレイ
40  窓枠部材                       41  図柄表示窓
42  下横枠部                       43  上横枠部
44  右縦枠部                       45  左縦枠部
46  発光体設置穴                   50  透明パネル
55  裏パネル
60  光透過性表示層                 65  光透過性シート
66  透視部                         67  表示部
68  光透過性表示部                 69  非光透過性表示部
70  ハーフミラー層                 71  ハーフミラー
72  金属薄膜層
80  発光体                         81  ＬＥＤランプ
82  ７セグメントＬＥＤ             90  回転リール
91  メダル投入口                   92  メダル払出口
93  １枚ベットスイッチ             94  ＭＡＸベットスイッチ
95  スタートスイッチ               96  ストップスイッチ
97  演出用ランプ                   98  スピーカ
99  受け皿
【図１】
2005211097.tif 000003
【図２】
2005211097.tif 000004
【図３】
2005211097.tif 000005
【図４】
2005211097.tif 000006
【図５】
2005211097.tif 000007
【図６】
2005211097.tif 000008
【図７】
2005211097.tif 000009
【図８】
2005211097.tif 000010
【図９】
2005211097.tif 000011